(57)【要約】【課題】放射線照射装置において、放射線照射視野内に対し画像情報を表示可能にする。【解決手段】放射線照射装置２を、放射線源１１、被写体を照らすための照明用光源１２と、被写体上に画像情報を表示するための透過型ＬＣＤ素子１３と、被写体上における画像のフォーカスを変更するためのレンズ群１４と、照明用光源１２から出射された光を反射させるミラー１５と、放射線の照射野を限定するための照射野絞り１６とから構成する。照明用光源１２を駆動するとともに、透過型ＬＣＤ素子１３に画像情報を表示することにより、放射線照射視野内に対し画像情報を表示することが可能となる。【選択図】図２
2009240469.tif 000002
【特許請求の範囲】
【請求項１】
被写体に対して放射線を照射する放射線照射手段と、
該放射線照射手段の放射線照射視野内に対し画像情報を投影する画像情報投影手段とを備えたものであることを特徴とする放射線照射装置。
【請求項２】
前記放射線照射手段が、外部の放射線検出手段に対して放射線を照射するものであり、
前記画像情報投影手段が、前記放射線照射手段と前記放射線検出手段との間の距離に基づいて前記画像情報のフォーカスを調整するものであることを特徴とする請求項１記載の放射線照射装置。
【請求項３】
前記放射線照射手段が、外部の放射線検出手段に対して放射線を照射するものであり、
前記画像情報投影手段が、前記放射線照射手段と前記放射線検出手段との間の距離に基づいて前記画像情報のサイズを調整するものであることを特徴とする請求項１または２記載の放射線照射装置。
【請求項４】
前記画像情報投影手段が、前記被写体に関する情報および／または撮影に関する情報を表示するものであることを特徴とする請求項１から３のいずれか１項記載の放射線照射装置。
【請求項５】
前記画像情報投影手段が、過去に撮影された画像を表示するものであることを特徴とする請求項１から４のいずれか１項記載の放射線照射装置。
【発明の詳細な説明】
【技術分野】
【０００１】
本発明は、放射線検出装置等に対して放射線を照射する放射線照射装置に関するものである。
【背景技術】
【０００２】
従来、医療分野などにおいて、被写体を透過した放射線の照射により被写体に関する放射線画像を記録する放射線検出器が各種提案、実用化されている。
【０００３】
上記放射線検出器としては、例えば特許文献１に記載されているように、放射線の照射により電荷を発生するアモルファスセレンなどの半導体を利用した放射線検出器があり、そのような放射線検出器として、いわゆる光読取方式のものやＴＦＴ読取方式のものが提案されている。
【０００４】
このような放射線検出器を用いれば、撮影により得られた画像情報をデジタルデータとして取得できるため、コンピューターを用いた診断支援装置等との親和性を高くすることができる。
【０００５】
一方、特許文献２に記載されているように、放射線診断装置において、放射線照射装置の放射線照射視野外に複数の投光器を配置し、これらの各投光器から出射される光の交点で、放射線照射装置から照射される放射線の照射視野の中心を表示するものが開示されている。上記のような投光器を放射線照射装置と組み合わせることにより、撮影を行なう際の放射線照射装置の位置合わせ等が容易になるという利点がある。
【特許文献１】特開２０００−１０５２９７号公報
【特許文献２】特開平７−３２７９８４号公報
【発明の開示】
【発明が解決しようとする課題】
【０００６】
放射線撮影においては、上記のように放射線の照射視野の中心だけでなく、放射線照射視野内において、患者に関する情報や、撮影に関する情報、さらには撮影の際の位置合わせを補助するための目盛り等、種々の画像情報が表示できれば、撮影の際の利便性をより向上させることができるが、これまで放射線照射視野内に画像情報を表示可能な放射線照射装置は実用化されていなかった。
【０００７】
本発明は、上記の事情に鑑みてなされたものであり、放射線照射視野内に対し画像情報を表示可能な放射線照射装置を提供することを目的とする。
【課題を解決するための手段】
【０００８】
本発明の放射線照射装置は、被写体に対して放射線を照射する放射線照射手段と、放射線照射手段の放射線照射視野内に対し画像情報を投影する画像情報投影手段とを備えたものであることを特徴とするものである。
【０００９】
ここで「画像情報」とは、二次元で表示される情報を意味し、例えば過去に撮影された画像等の二次元画像情報に限らず、患者の氏名や撮影メニュー等の文字情報や、撮影の際の位置合わせを補助するための補助線や目盛り等も含むものである。
【００１０】
本発明の放射線照射装置において、画像情報投影手段は、放射線照射手段と外部の放射線検出手段との間の距離に基づいて画像情報のフォーカスを調整するものとしてもよいし、放射線照射手段と外部の放射線検出手段との間の距離に基づいて画像情報のサイズを調整するものとしてもよい。
【００１１】
また、画像情報投影手段は、被写体に関する情報および／または撮影に関する情報を表示するものとしてもよいし、過去に撮影された画像を表示するものとしてもよい。
【発明の効果】
【００１２】
本発明の放射線照射装置によれば、放射線照射手段の放射線照射視野内に対し画像情報を投影する画像情報投影手段を設け、患者の氏名や撮影メニュー等の文字情報や、撮影の際の位置合わせを補助するための補助線や目盛り等、種々の情報を放射線照射視野内に表示可能にしたので、撮影の際の利便性を向上させることができる。
【発明を実施するための最良の形態】
【００１３】
以下、図面を参照して本発明の実施の形態について詳細に説明する。図１は本発明の好ましい実施の形態の一例である放射線画像撮像システムを示す概略図、図２はこのシステムの放射線照射装置の本体内部の概略図、図３は上記システムの放射線撮影装置に用いている固体検出器の概略図である。
【００１４】
この放射線画像撮像システム１は、放射線源１１等を収納した放射線照射装置２と、放射線を検出するための固体検出器２０等を収納した放射線撮影装置３と、放射線照射装置２および放射線撮影装置３に接続されたコンピューター４と、コンピューター４に接続されたモニター５とから構成されている。
【００１５】
図２に示すように、放射線照射装置２は、上記の放射線源１１の他に、被写体を照らすための照明用光源１２と、被写体上に画像情報を表示するための透過型ＬＣＤ素子１３と、被写体上における画像のフォーカスを変更するためのレンズ群１４と、照明用光源１２から出射された光を反射させるミラー１５と、放射線の照射野を限定するための照射野絞り１６とを備えている。なお、ミラー１５は、放射線源１１から放射線を照射させる際には放射線の照射を妨げない位置に退避可能なように構成されている。
【００１６】
本実施の形態では、上記透過型ＬＣＤ素子１３、レンズ群１４およびミラー１５により画像情報投影手段が構成される。
【００１７】
放射線照射装置２において、上記の放射線源１１、照明用光源１２、透過型ＬＣＤ素子１３、レンズ群１４、ミラー１５、照射野絞り１６等はいずれも不図示の制御手段により統合制御されるものである。
【００１８】
図３に示すように、固体検出器２０は、ガラス基板２５上に、ａ−Ｓｉ  ＴＦＴからなる第１の導電層２４、放射線の照射を受けることにより電荷を発生して導電性を呈する光導電層２３、第２の導電層２２、絶縁層２１がこの順に積層されたものである。
【００１９】
第１の導電層２４は、各画素毎に対応してＴＦＴが形成されており、各ＴＦＴの出力はＩＣチップ２６に接続され、ＩＣチップ２６はプリント基板２７上の不図示の画像信号処理部に接続されている。
【００２０】
固体検出器２０は、第１の導電層２４と第２の導電層２２との間に電界を形成している際に、光導電層２３に放射線が照射されると、光導電層２３内に電荷対が発生し、この電荷対の量に応じた潜像電荷が第１の導電層２４内に蓄積されるものである。蓄積された潜像電荷を読み取る際には、第１の導電層２４のＴＦＴを順次駆動して、各画素に対応した潜像電荷に対応するアナログ信号を出力させ、このアナログ信号を画像信号処理部において各画素毎に検出し、各画素毎に検出したアナログ信号を画素の配列順に複合する。そして、この複合したアナログ信号を不図示のＡＤ変換部によりＡＤ変換してデジタル画像信号を生成する。生成されたデジタル画像信号は画像信号処理部からメモリを経由してコンピューター４に送信される。
【００２１】
放射線撮影装置３において、上記の固体検出器２０等はいずれも不図示の制御手段により統合制御されるものである。
【００２２】
コンピューター４は、上記の放射線照射装置２における照射放射線量の強度を指定したり、透過型ＬＣＤ素子１３に表示させる画像情報を生成したりする機能や、上記放射線撮影装置３において取得された画像信号を受信して記憶する機能を有する。また、これ以外にも、撮影対象となる患者の氏名や性別等の患者に関する情報や、撮影する部位、放射線量および手技等の撮影に関する情報を記録、管理する機能も有する。
【００２３】
さらに、放射線照射装置２は図１中左右方向に移動可能に構成されており、これにより、放射線照射装置２と放射線撮影装置３との間の距離、より具体的には放射線源１１の焦点から固体検出器２０の放射線入射面までの距離（ＳＩＤ：Source Image Distance）を変えることができる。本実施の形態のシステムは、放射線照射装置２の移動位置に基づいてＳＩＤが検出可能に構成されており、コンピューター４は、このＳＩＤ情報についても取得することが可能に構成されている。
【００２４】
次いで、このように構成される放射線画像撮像システム１の動作について説明する。図４は撮影時における画像情報の表示の一例を示す図である。
【００２５】
撮影者は、患者Ｐを放射線撮影装置３の放射線入射部と対向する位置に立たせた後、放射線照射装置２を移動させて、放射線照射装置２と放射線撮影装置３との間の距離を適正な位置にする。放射線照射装置２の位置が決まると、その状態でのＳＩＤがコンピューター４により検知される。
【００２６】
撮影は比較的暗くした室内において行なわれ、実際に放射線を照射する前に放射線照射視野を明示するために、放射線照射装置２ではミラー１５を所定位置に移動させるとともに照明用光源１２を駆動して、図４に示すように放射線照射視野に対して照明を照射する。
【００２７】
撮影対象となる患者Ｐの氏名や性別等の患者に関する情報や、撮影する部位、放射線量および手技等の撮影に関する情報は予めコンピューター４に登録されており、この中から放射線照射視野内に表示したい情報を指定することにより、放射線照射視野内にこれらの情報を表示させることが可能である。また上記の情報以外にも、目盛りや、以前の撮影で得られた画像等も表示させることが可能である。図４では、日時、患者氏名、撮影部位、放射線量および目盛りを放射線照射視野内に表示した例を示している。
【００２８】
コンピューター４は、放射線照射視野内に表示させるように指示された情報を全て合成して二次元画像情報とし、予め検出されているＳＩＤと併せて放射線照射装置２に送信する。
【００２９】
放射線照射装置２は、二次元画像情報およびＳＩＤを受信すると、二次元画像情報を透過型ＬＣＤ素子１３に表示するとともに、ＳＩＤに基づいてレンズ群１４を制御して画像情報のフォーカスとサイズが適正になるように制御する。
【００３０】
これにより図４に示すような画像情報が放射線照射視野内に表示されることになる。
【００３１】
撮影者は表示された画像情報を見て撮影に誤りが無いことを確認した後、放射線照射装置２の不図示の放射線曝射スイッチを押下する。放射線曝射スイッチが押下されると、ミラー１５が放射線の照射を妨げない位置に退避され、放射線源１１から固体検出器２０へ向けて放射線が照射される。
【００３２】
放射線が照射されると固体検出器２０内においては、放射線画像情報を担持する潜像電荷が蓄積される。この蓄積された潜像電荷の量は被写体（患者Ｐ）を透過した放射線量に略比例するので、この潜像電荷が静電潜像を担持することとなる。
【００３３】
所定時間経過後に固体検出器２０に対する記録を停止させて撮影を終了した後、固体検出器２０から潜像電荷に対応するアナログ信号を出力させ、画像信号処理部においてＡＤ変換してデジタル画像信号を生成させる。生成されたデジタル画像信号は画像信号処理部からメモリを経由してコンピューター４に送信される。
【００３４】
コンピューター４は、放射線撮影装置３からデジタル画像信号を受信すると、モニター５上に画像を表示させる。
【００３５】
以上、本発明の好ましい実施の形態について説明したが、本発明は上記放射線画像撮像システムに限らず、例えば乳房用画像撮像システム等、どのような撮影システムに応用してもよい。
【図面の簡単な説明】
【００３６】
【図１】本発明による放射線画像撮像システムを示す概略図
【図２】上記システムの放射線照射装置の本体内部の概略図
【図３】上記システムの放射線撮影装置に用いている固体検出器の概略図
【図４】撮影時における画像情報の表示の一例を示す図
【符号の説明】
【００３７】
１    放射線画像撮像システム
２    放射線照射装置
３    放射線撮影装置
４    コンピューター
５    モニター
１１    放射線源
１２    照明用光源
１３    透過型ＬＣＤ素子
１４    レンズ群
１５    ミラー
１６    照射野絞り
２０    固体検出器
【図１】
2009240469.tif 000003
【図２】
2009240469.tif 000004
【図３】
2009240469.tif 000005
【図４】
2009240469.tif 000006